(57)【要約】 【課題】  収納容器内の粉粒体を投入口に投入するに際して粉粒体を大気中に飛散させるおそれがない粉粒状放射性廃棄物の投入方法及びその投入装置を提供する。【解決手段】  内蓋５によって中央孔１４が塞がれた平板環状部材４を、粉粒状放射性廃棄物の収納容器１の開口部１２に当接してその開口部１２を閉鎖した後に、収納容器１を転倒させて平板環状部材４を粉粒体シュート２の投入口２１に当接して粉粒体シュート２の内部を密閉空間とし、次いで、粉粒体シュート２内に回動自在に設けた内蓋開放機構６により内蓋５を開放して、放射性粉粒体を密閉空間内で投入する投入方法、及び、前記平板環状部材４と、前記内蓋５と、開口部１２が閉鎖された収納容器１を転倒させる転倒用アーム９と、転倒された収納容器１の開口部１２を塞ぐ内蓋５を開くための内蓋開放機構６とからなる投入装置。【選択図】    図１０
2006267033.tif 000002
【特許請求の範囲】
【請求項１】
内蓋によって中央孔が塞がれた平板環状部材を、粉粒状放射性廃棄物の収納容器の開口部に当接してその開口部を閉鎖した後に、当該収納容器を転倒させ平板環状部材を粉粒体シュートの投入口に当接して粉粒体シュートの内部を密閉空間とし、次いで、粉粒体シュート内に設けた内蓋開放機構により内蓋を開放して、粉粒状放射性廃棄物を密閉空間内で投入することを特徴とする粉粒状放射性廃棄物の投入方法。
【請求項２】
粉粒状放射性廃棄物の収納容器の開口部に当接される平板環状部材と、平板環状部材の中央孔を塞ぐ内蓋と、平板環状部材と内蓋とにより開口部が閉鎖された前記収納容器を転倒させて平板環状部材を粉粒体シュートの投入口に当接させる転倒用アームと、転倒された前記収納容器の開口部を塞ぐ内蓋を開くために粉粒体シュート内に設けられた内蓋開放機構とからなることを特徴とする粉粒状放射性廃棄物の投入装置。
【請求項３】
平板環状部材の中央孔に内方にせり出す複数の突出片を設け、内蓋の裏側の周縁付近には前記突出片を挟み付ける複数のクランプ片を軸着して、内蓋と平板環状部材とを係脱自在とした請求項２に記載の粉粒状放射性廃棄物の投入装置。
【請求項４】
内蓋は、外力により作動されてクランプ片を回動させるリンク機構を備えている請求項３に記載の粉粒状放射性廃棄物の投入装置。
【請求項５】
内蓋開放機構は、回動自在な基板に、内蓋のリンク機構に係合してクランプ片と平板環状部材の突出片との係止を解除する係合部と、リンク機構を係止して内蓋の開放を可能とする係止部とを備えている請求項４に記載の粉粒状放射性廃棄物の投入装置。
【請求項６】
平板環状部材の中央孔の対向する位置に二つの突出片を設け、内蓋の裏側の周縁付近には、前記突出片を挟み付ける二つのクランプ片を軸着したうえに、内蓋の表側に、内蓋の中心から互いに反対方向に延出し内蓋開放機構の係合部に係合して回動される２本の第１リンクアームと、クランプ片の回転軸に設けられた第２リンクアームと、第１リンクアームと第２リンクアームとを接続するリンクロッドとからなるリンク機構を設けた請求項５に記載の粉粒状放射性廃棄物の投入装置。
【請求項７】
内蓋開放機構の係合部を、基板の裏側に貫通する回転軸の先端に設けられた突条部からなるものとして、第１リンクアームの基部に、前記突条部が嵌め込まれる凹溝部を設けるとともに、内蓋開放機構の係止部を、第１リンクアームを係止可能に基板の裏側に突設された断面逆Ｌ字形の係止片からなるものとした請求項６に記載の粉粒状放射性廃棄物の投入装置。
【発明の詳細な説明】
【技術分野】
【０００１】
本発明は、収納容器に収納されている放射性廃棄物などの粉粒体を減容設備などの粉粒体シュートの投入口から投入するための、粉粒状放射性廃棄物の投入方法及びその投入装置に関するものである。
【背景技術】
【０００２】
原子力設備からは廃棄物としての放射性廃棄物などの粉粒体が発生するが、この粉粒状放射性廃棄物は、特許文献１に示すように、減容設備の燃焼炉などに投入、焼却されて減容化される。
【０００３】
粉粒状放射性廃棄物は通常は粉砕等されてドラム缶状の収納容器に収納されており、粉粒状放射性廃棄物を減容設備などに投入するに際しては、この収納容器を投入装置によって上下反転させることにより行っていた。しかしながら、従来は粉粒状放射性廃棄物の投入口は外気と遮断されていなかったので、収納容器を傾倒させると粉粒状放射性廃棄物の粉塵が舞い上がるおそれがあった。また、収納容器の外周側面も汚染されるおそれがあって環境衛生上好ましくないという問題があった。
【特許文献１】特開２００１−３３５８７号公報  (図２)
【発明の開示】
【発明が解決しようとする課題】
【０００４】
本発明は上記した従来の問題点を解決して、粉粒状放射性廃棄物を粉粒体投入口に投入するに際して、大気中に粉粒状放射性廃棄物を飛散させるおそれがない粉粒状放射性廃棄物の投入方法及びその投入装置を提供するためになされたものである。
【課題を解決するための手段】
【０００５】
上記の課題を解決するためになされた本発明の粉粒状放射性廃棄物の投入方法は、内蓋によって中央孔が塞がれた平板環状部材を、粉粒状放射性廃棄物の収納容器の開口部に当接してその開口部を閉鎖した後に、当該収納容器を転倒させ平板環状部材を粉粒体シュートの投入口に当接して粉粒体シュートの内部を密閉空間とし、次いで、粉粒体シュート内に設けた内蓋開放機構により内蓋を開放して、粉粒状放射性廃棄物を密閉空間内で投入することを特徴とするものである。
【０００６】
また、本発明の粉粒状放射性廃棄物の投入装置は、粉粒状放射性廃棄物の収納容器の開口部に当接される平板環状部材と、平板環状部材の中央孔を塞ぐ内蓋と、平板環状部材と内蓋とにより開口部が閉鎖された前記収納容器を転倒させて平板環状部材を粉粒体シュートの投入口に当接させる転倒用アームと、転倒された前記収納容器の開口部を塞ぐ内蓋を開くために粉粒体シュート内に設けられた内蓋開放機構とからなることを特徴とするものである。
【０００７】
上記した投入装置において、平板環状部材の中央孔に内方にせり出す複数の突出片を設け、内蓋の裏側の周縁付近には前記突出片を挟み付ける複数のクランプ片を軸着して、内蓋と平板環状部材とを係脱自在とすることができ、内蓋には、外力により作動されてクランプ片を回動させるリンク機構を備えることができ、また、内蓋開放機構を、回動自在な基板に、内蓋のリンク機構に係合してクランプ片と平板環状部材の突出片との係止を解除する係合部と、リンク機構を係止して内蓋の開放を可能とする係止部とを備えたものとすることができる。
【０００８】
また、平板環状部材の中央孔の対向する位置に二つの突出片を設け、内蓋の裏側の周縁付近には、前記突出片を挟み付ける二つのクランプ片を軸着したうえに、内蓋の表側に、内蓋の中心から互いに反対方向に延出し内蓋開放機構の係合部に係合して回動される２本の第１リンクアームと、クランプ片の回転軸に設けられた第２リンクアームと、第１リンクアームと第２リンクアームとを接続するリンクロッドとからなるリンク機構を設けることができ、さらに、内蓋開放機構の係合部を、基板の裏側に貫通する回転軸の先端に設けられた突条部からなるものとして、第１リンクアームの基部に、前記突条部が嵌め込まれる凹溝部を設けるとともに、内蓋開放機構の係止部を、第１リンクアームを係止可能に基板の裏側に突設された断面逆Ｌ字形の係止片からなるものとすることができる。
【発明の効果】
【０００９】
本発明の粉粒状放射性廃棄物の投入方法は、内蓋によって中央孔が塞がれた平板環状部材により開口部が閉鎖された収納容器を転倒させて、この収納容器を粉粒体シュートの投入口に当接して粉粒体シュートの内部を密閉空間となしたうえで、内蓋を開放するようにしたので、粉粒状放射性廃棄物を粉粒体シュートに密閉空間内で投入することができる。よって粉粒状放射性廃棄物が大気中に飛散するおそれがない。
【００１０】
また、本発明の粉粒状放射性廃棄物の投入装置は、収納容器の開口部に当接される平板環状部材と、平板環状部材の中央孔を塞ぐ内蓋と、収納容器を転倒させる転倒用アームと、粉粒体シュートの内部に設けられた内蓋開放機構とからなるものとしたので、開口部が平板環状部材と内蓋とで閉鎖された収納容器を転倒させて粉粒体シュートの内部を密閉空間とすることができ、この密閉空間内で内蓋を開放することによって、粉粒状放射性廃棄物を外部に飛散させることなく投入することができる。
【発明を実施するための最良の形態】
【００１１】
始めに、本発明の粉粒状放射性廃棄物の投入方法について、図１０を参照しつつ概説する。
先ず、運搬されてきた放射性粉粒体の収納容器１の開口部１２に、内蓋５によって中央孔１４が塞がれた平板環状部材４を当接してその開口部１２を閉鎖するとともに、収納容器１を転倒用アーム９に保持させる。その後、転倒用アーム９を旋回させて収納容器１を転倒し、粉粒体シュート２の投入口２１に平板環状部材４を当接して粉粒体シュート２の内部を密閉空間となす。次いで、粉粒体シュート２内に回動自在に設けられた内蓋開放機構６の基板２０により内蓋５を係止したうえ、回動用アーム２２を回動させる。これによって、放射性粉粒体を密閉空間内で粉粒体シュート２に投入することができる。
【００１２】
以下に、本発明に係る粉粒状放射性廃棄物の投入装置について、好ましい実施形態を説明する。
図１、２は、雑固体減容処理設備における粉粒状放射性廃棄物の投入装置の構成を示す図、図３はその要部を拡大して示す図である。
【００１３】
本投入装置においては、粉粒体保管庫１０に保管されていた収納容器１がローラーコンベア７付きのリフト８上に運搬されて据え置かれる。その収納容器１はリフト８によって上方に持ち上げられた後に転倒用アーム９に係止爪１７で保持される。さらに収納容器１の開口部１２には施蓋用アーム１３により蓋が施される。蓋は既記した平板環状部材４と、平板環状部材４の中央孔１４を塞ぐ内蓋５とからなる。平板環状部材４は係止爪１７により収納容器１にロックされる。
【００１４】
転倒用アーム９は、水平軸１８に軸着されており、施蓋された収納容器１を旋回して転倒させる。この転倒によって粉粒体シュート２の投入口２１に平板環状部材４が当接して、粉粒体シュート２の内部を密閉することができる。粉粒体シュート２の内部には回動用アーム２２を有する内蓋開放機構６が設けられており、この内蓋開放機構６は、内蓋５と係合してこの内蓋５を開放し粉粒状放射性廃棄物を粉粒体シュート２に投入する。
【００１５】
粉粒体通路３には、上方ダンパー２４と下方ダンパー２５とが設けられていて、投入された粉粒状放射性廃棄物を少量づつ送出して下方の小収納容器２６に供給する。粉粒状放射性廃棄物が充填された小収納容器２６は燃焼炉などに運搬されて粉粒状放射性廃棄物が減容化される。
【００１６】
本発明の投入装置の詳細を、図４〜９により説明する。
図４において、平板環状部材４は収納容器１の上縁にパッキン２７を介して密着されている。平板環状部材４の中央孔１４の左右には内方にせり出す二つの突出片２８が対向してボルト１５の締結により設けられている。そして、その中央孔１４は内蓋５によって閉鎖されているが、この内蓋５は、内蓋５の周縁近傍の回転軸２９に軸着されたクランプ片３１が回動されて前記突出片２８を挟み付けることによって、平板環状部材４と係合している。２本の回転軸２９は、内蓋５の表側に設けたリンク機構により接続されている。
【００１７】
当該リンク機構は、図５に示すように、内蓋５の中心部に枢設されて、その中心から互いに反対方向に延出する２本の第１リンクアーム３２と、クランプ片３１の回転軸２９に設けられた第２リンクアーム３３と、これらのリンクアーム３２、３３を接続するリンクロッド３４とからなる。そして、第１リンクアーム３２の基部には、内蓋開放機構６と係合可能な凹溝部３５が形成されている。
【００１８】
内蓋開放機構６と内蓋５と平板環状部材４の間の係合機構を以下に説明する。
内蓋開放機構６は、図６に示すように、円形の基板２０に、第１リンクアーム３２の凹溝部３５に嵌め込まれて第１リンクアーム３２を回動する突条部３６からなる係合部と、この突条部３６の近傍に断面逆Ｌ字形に突設された係止片３７からなり、第１リンクアーム３２の裏側を係止して内蓋５の開放を可能とする係止部とを備えている。基板２０には、図７にも示すシリンダロッド４１によって回転用アーム４２を介して回転される回転軸４３が設けられていて、この回転軸４３の先端に前記突条部３６を備えている。
【００１９】
凹溝部３５に突条部３６を嵌め込んだ後に、回転軸４３をシリンダロッド４１によって回転させることによって、リンク機構が作動し、内蓋５のクランプ片３１と平板環状部材４の突出片２８との係合が解除されると同時に、回動された第１リンクアーム３２が基板２０に設けた係止片３７に係止されるので、内蓋５は内蓋開放機構６によって開放可能な状態とされる。
【００２０】
内蓋開放機構６の基板２０は、図８、９に示すように、回動用アーム２２に固定されており、この回動用アーム２２は、パワーシリンダ４５によって回転される水平シャフト４６に接続されているので、内蓋５を係止した基板２０を水平シャフト４６によって回動させることにより、密閉された空間内で内蓋５を開放することができる。
【００２１】
以上のように構成された粉粒状放射性廃棄物の投入装置においては、リフト８によって上方に持ち上げられた収納容器１の開口部１２を内蓋５と平板環状部材４とで密閉する。その後、当該収納容器１を転倒用アーム９により旋回して転倒させる。この転倒によって粉粒体シュート２の投入口２１に平板環状部材４が当接されるので、粉粒体シュート２の内部を密閉空間とすることができる。そして、内蓋開放機構６の突条部３６を第１リンクアーム３２の凹溝部３５に嵌め込んで、突条部３６を回転することによって、リンク機構が作動して平板環状部材４と内蓋５との係止が解除されるとともに、係止片３７が第１リンクアーム３２を係止するので、内蓋５は開放可能な状態となる。その後、シャフト４６を回転させて回動用アーム２２を回動することによって、内蓋５を密閉空間内で開放することができる。従って、粉粒状放射性廃棄物を外部に飛散させることなく粉粒体シュート２に投入することができる。
【００２２】
粉粒状放射性廃棄物を投入した後は、回動用アーム２２を逆方向に回動させて、内蓋５を平板環状部材４の中央孔１４に当接して、その中央孔１４を塞ぐ。そして、回転軸４３を前と逆の方向に回転させることによって、係止片３７による基板２０と内蓋５との係止が解除されるとともに、クランプ片３１が再び突出片２８を挟み付けるので、内蓋５を平板環状部材４にロックした状態で固定することができる。その後、転倒用アーム９を旋回させて収納容器１を元の位置に戻すことによって、収納容器１を別の収納容器１と交換することができる。
【００２３】
以上説明したように、本発明の粉粒状放射性廃棄物の投入方法及びその投入装置は、密閉空間内で粉粒状放射性廃棄物を粉粒体シュートに投入することができるので、粉粒状放射性廃棄物を外部に飛散させることがないという大きな利点を有する。
【図面の簡単な説明】
【００２４】
【図１】粉粒状放射性廃棄物の投入装置の正面図である。
【図２】図１のＡ−Ａ線断面図である。
【図３】粉粒状放射性廃棄物の投入装置の要部拡大図である。
【図４】平板環状部材と内蓋と内蓋開放機構との係合状態を示す断面図である。
【図５】内蓋のリンク機構を示す平面図である。
【図６】内蓋と内蓋開放機構との係止状態を示す断面図である。
【図７】シリンダ部の正面図である。
【図８】図３のＢ−Ｂ線断面図である。
【図９】図８のＣ方向矢視図である。
【図１０】本発明に係る粉粒状放射性廃棄物の投入装置の概略構成図である。
【符号の説明】
【００２５】
１  収納容器、２  粉粒体シュート、３  粉粒体通路  ４  平板環状部材、５  内蓋、６  内蓋開放機構、７  ローラーコンベア、８  リフト、９  転倒用アーム、１０  粉粒体保管庫、１１  チャック、１２  収納容器の開口部、１３  施蓋用アーム、１４  平板環状部材の中央孔、１５  ボルト、１７  係止爪、１８  水平軸、２０  基板、２１  粉粒体シュートの投入口、２２  回動用アーム、２４  上方ダンパー、２５  下方ダンパー、２６  小収納容器、２７  パッキン、２８  突出片、２９  回転軸、３１  クランプ、３２  第１リンクアーム、３３  第２リンクアーム、３４  リンクロッド、３５  凹溝部、３６  突条部、３７  係止片、４１  シリンダロッド、４２  回転用アーム、４３  回転軸、４５  モートルシリンダ、４６  水平シャフト。
【図１】
2006267033.tif 000003
【図２】
2006267033.tif 000004
【図３】
2006267033.tif 000005
【図４】
2006267033.tif 000006
【図５】
2006267033.tif 000007
【図６】
2006267033.tif 000008
【図７】
2006267033.tif 000009
【図８】
2006267033.tif 000010
【図９】
2006267033.tif 000011
【図１０】
2006267033.tif 000012